(57)【要約】【課題】、発電機制御盤内の機器を更新する間、自家発電機を運転できない状況を減らす機器リプレイス方法を提供する。【解決手段】第１の工程として、既存の発電コントロールユニット２に繋がるケーブルを分断して、互いに結合可能なコネクタ９Ａ、コネクタ９Ｂ及び中継ケーブル３２、４２、５２により成る接続部品を取り付ける。第２の工程として、接続部品を結合させたまま、既存の発電コントロールユニット２を既設位置からフィーダ盤１Ｂへ移動させる。第３の工程として、空いた既存位置に新規の発電コントロールユニット２Ａを設置する。第４の工程として、接続部品によってケーブルの接続先を新規の発電コントロールユニット２Ａに変更する。【選択図】図４
2020114141.tif 000002
【特許請求の範囲】
【請求項１】
発電機を制御する発電機制御盤内の既存機器を新規機器へ置き換える機器リプレイス方法であって、
前記既存機器に繋がるケーブルを分断して、互いに結合可能な接続部品を取り付ける第１の工程と、
前記接続部品を結合させたまま、前記既存機器を既設位置から他所へ移動させる第２の工程と、
空いた前記既存位置に前記新規機器を設置する第３の工程と、
前記接続部品によって前記ケーブルの接続先を前記新規機器に変更する第４の工程と、
を含むこと、
を特徴とする機器リプレイス方法。
【請求項２】
前記第４の工程終了後、前記新規機器を試験及び調整している間、前記発電機の制御が必要な場合、前記接続部品によって前記ケーブルの接続先を前記他所へ移動させた前記既存機器に一時的に戻す第５の工程と、
を含むこと、
を特徴とする請求項１記載の機器リプレイス方法。
【請求項３】
前記接続部品はコネクタであること、
を特徴とする請求項１又は２記載の機器リプレイス方法。
【請求項４】
前記接続部品は端子台であること、
を特徴とする請求項１又は２記載の機器リプレイス方法。
【請求項５】
前記接続部品は接続先を前記既存機器と前記新規機器を切り替え可能なスイッチであること、
を特徴とする請求項１又は２記載の機器リプレイス方法。
【請求項６】
前記既存機器と前記新規機器の種類は、前記発電機に対する発電コントロールユニットであること、
を特徴とする請求項１乃至５の何れかに記載の機器リプレイス方法。
【請求項７】
前記発電コントロールユニットは、電気回路の保護、電気回路の状態検出、電気に関する物理量の計測又は演算、及び前記発電機の制御シーケンスの少なくとも１以上を行う単数又は複数のユニットであること、
を特徴とする請求項６記載の機器リプレイス方法。
【請求項８】
前記発電機は、非常用又は常用の自家発電機であること、
を特徴とする請求項１乃至７の何れかに記載の機器リプレイス方法。
【発明の詳細な説明】
【技術分野】
【０００１】
本発明の実施形態は、発電機を制御する発電機制御盤内の機器を置き換える機器リプレイス方法に関する。
【背景技術】
【０００２】
通常、商用ビルや病院等の需要家施設には商用電力系統の電力が引込線により引き込まれ、商用電力系統の電力が当該施設内の電力負荷に供給される。一方、これら需要家施設では、例えば商用電力系統の停電に備えた非常用の自家発電機、又は商用電力系統から供給される契約電力を超える消費電力を補う常用の自家発電機が設置される場合がある。これら自家発電機は、当該自家発電機を制御する発電機制御盤と共に設置される。
【０００３】
発電機制御盤内には、自家発電機の制御に必要な各種機器が収容されており、例えば発電コントロールユニット、計器用変圧器（ＥＶＴ）、変流器（ＣＴ）、アナログ信号回路、制御回路、ターミナルリレー及びディスプレイユニットが収容されている。これら機器は、性能刷新等の事情によって新規機器に個別に置き換えられることがある。
【０００４】
発電機制御盤内の機器を置き換える際には、自家発電機の運転停止の後、リプレイス対象の既存機器と他の存続させる機器との間のケーブルを取り外す。次にリプレイス対象の既存機器を発電機制御盤から撤去する。既存機器の撤去と併せて、リプレイス対象の既存機器に接続されていたケーブルも撤去する。そして、新規機器に適合するケーブルを敷設し直し、新規機器を既存機器が設置されていた箇所に設置すると共に、ケーブルと新規機器とを接続する。新規機器の設置の後、新規機器の運転試験及び試験結果に基づく調整を行う。試験及び調整が完了すると、新規機器に置き換えられた発電機制御盤にて自家発電機の制御を再開させる。
【先行技術文献】
【特許文献】
【０００５】
【特許文献１】特開２００４−１６６３４６号公報
【発明の概要】
【発明が解決しようとする課題】
【０００６】
発電機制御盤内の機器の置き換えには、例えば発電コントロールユニットがリプレイス対象であると５日間等の期間を要してしまう。この置き換え期間中は、既存機器が撤去されており、自家発電機の制御ができない期間となる。従って、非常用の自家発電機に対する発電機制御盤内の機器が置き換え対象であれば、代替システムの仮設が必要である。代替システムの仮設によって更新コストは嵩むことになる。代替システムの仮設スペースが確保できない場合は、発電機があっても非常時の電力供給は不可能となる。また、常用の自家発電機に対する発電機制御盤内の機器が置き換え対象であれば、需要家施設内の負荷の合計消費電力が契約電力に収まるように、負荷の制限を実施する必要が生じる。
【０００７】
本発明の実施形態は、上記の課題を解消するために提案されたものであり、発電機制御盤内の機器を置き換える間、自家発電機を運転できない状況を減らす機器リプレイス方法を提供することを目的としている。
【課題を解決するための手段】
【０００８】
上記の目的を達成するために、実施形態に係る機器リプレイス方法は、発電機を制御する発電機制御盤内の既存機器を新規機器へ置き換える機器リプレイス方法であって、前記既存機器に繋がるケーブルを分断して、互いに結合可能な接続部品を取り付ける第１の工程と、前記接続部品を結合させたまま、前記既存機器を既設位置から他所へ移動させる第２の工程と、空いた前記既存位置に前記新規機器を設置する第３の工程と、前記接続部品によって前記ケーブルの接続先を前記新規機器に変更する第４の工程と、を含むこと、を特徴とする。
【０００９】
前記第４の工程終了後、前記新規機器を試験及び調整している間、前記発電機の制御が必要な場合、前記接続部品によって前記ケーブルの接続先を前記他所へ移動させた前記既存機器に一時的に戻す第５の工程と、を含むようにしてもよい。
【図面の簡単な説明】
【００１０】
【図１】本実施形態に係り、発電機制御盤内のリプレイス前の構成を示すブロック図である。
【図２】本実施形態に係り、発電機制御盤内のリプレイス作業の第１ステップ終了後の構成を示すブロック図である。
【図３】本実施形態に係り、発電機制御盤内のリプレイス作業の第２ステップ終了後の構成を示すブロック図である。
【図４】本実施形態に係り、発電機制御盤内のリプレイス作業の第３ステップ終了後の構成を示すブロック図である。
【図５】本実施形態に係り、発電機制御盤内のリプレイス作業の第４ステップ終了後の構成を示すブロック図である。
【図６】本実施形態に係り、発電機制御盤内のリプレイス作業の第５ステップ終了後の構成を示すブロック図である。
【発明を実施するための形態】
【００１１】
以下、本実施形態に係る機器リプレイス方法について図面を参照しつつ詳細に説明する。図１は、発電制御システム１を示すブロック図である。図１に示すように、発電制御システム１は、商用ビルや病院等の需要家施設に発電機１００と共に設置される。この発電制御システム１は、負荷２００に電力を供給する発電機１００を制御する。発電機１００は、例えばレシプロ機関やタービン機関等の原動機、蓄電池、燃料電池又は太陽電池であり、非常用又は常用の電源用途として設置される。
【００１２】
発電機１００が非常用目的の場合、発電制御システム１は、商用電力系統の停電を契機に発電機１００の運転を制御シーケンスに従って開始させ、商用電力系統が復旧すると発電機１００を制御シーケンスに従って停止させる。また、発電機１００が常用発電を目的として設置されている場合、発電制御システム１は、負荷２００の消費電力のうち、商用電力系統の契約電力を超過する電力分を発電機１００に出力させる。また、発電制御システム１は、過電圧や過電流等が生じると、電気回路の保護のために電路遮断の制御を行う。
【００１３】
この発電制御システム１は、発電機制御盤１Ａとフィーダ盤１Ｂとに区画される。発電機制御盤１Ａは、発電機１００を制御するための各種機器を備える。発電機制御盤１Ａは、例えば発電コントロールユニット２、計器用変圧器（ＥＶＴ）４、変流器（ＣＴ）５、アナログ信号回路６、制御回路７、ターミナルリレー８及びディスプレイユニット３を備える。フィーダ盤１Ｂには、負荷２００へ向けて分岐させた電力線３００が主に収容されている。
【００１４】
計器用変圧器４は、電力線３００に並列接続され、発電機１００から負荷２００へ供給される電圧を変圧比に応じて降圧し、発電コントロールユニット２に入力する。変流器５は、電力線３００に直列接続され、発電機１００から負荷２００へ供給される電流を変流比に応じた電流に変換し、発電コントロールユニット２に入力する。アナログ信号回路６は、付随機器が出力する信号を発電コントロールユニット２に入力する。付随機器は、発電機１００と共に設置される例えばファン等である。制御回路７は、例えば自動同期投入を制御する同期選択回路である。ターミナルリレー８は制御回路７と発電コントロールユニット２との間に介在する。
【００１５】
発電コントロールユニット２は、所謂コンピュータであり、又はコンピュータとリレーにより構成されている。この発電コントロールユニット２は、電気に関する物理量の計測若しくは演算、電気回路の状態検出、電気回路の保護、発電機１００の制御シーケンス、又はこれらの少なくとも１以上を担う。ディスプレイユニット３は、発電機１００及び発電機制御盤１Ａの状態を視覚的に表示する液晶ディスプレイ、有機ＥＬディスプレイ等の表示装置である。
【００１６】
より詳細には、発電コントロールユニット２は、計器用変圧器４及び変流器５からの入力に基づいて電圧及び電流を計測し、また電力、力率、周波数及び位相を演算する。また、発電コントロールユニット２は、発電機１００の過速度、同期速度、低速度、規定電圧を検出する。また、発電コントロールユニット２は、過電流継電器（ＯＣ）、過電圧継電器（ＯＶ）、不足電圧継電器（ＵＶ）、地絡過電圧継電器（ＯＶＧ）、地絡過電流継電器（ＯＣＧ）、逆電力継電器（ＲＰ）、周波数上昇継電器（ＯＦ）、及び周波数低下継電器（ＵＦ）となる。また、発電コントロールユニット２は、発電機１００の例えば始動及び停止の制御シーケンスを実行する。
【００１７】
この発電コントロールユニット２は、計測用変圧器４とケーブル４１により接続され、変流器５とケーブル５１で接続され、アナログ信号回路６とケーブル６１で接続され、ターミナルリレー８とケーブル８１で接続され、ディスプレイユニット３とケーブル２１で接続されている。また、ディスプレイユニット２からは、コネクタ７１Ａと結合可能なコネクタ３１Ａを有するケーブル３１が延び、制御回路７からは、コネクタ３１Ａと結合可能なコネクタ７１Ａを有するケーブル７１が延び、ディスプレイユニット２は、ケーブル３１とケーブル７１の結合により制御回路７と接続されている。
【００１８】
このような発電機制御盤１Ａ内において、既存の発電コントロールユニット２と既存のディスプレイユニット３を、新規の発電コントロールユニット２Ａと新規のディスプレイユニット２Ａに置き換えるものとする（図４乃至図６参照）。
【００１９】
ここで、既存の発電コントロールユニット２と新規の発電コントロールユニット２Ａとは互換性が不足しているものとする。即ち、既存の発電コントロールユニット２と新規の発電コントロールユニット２Ａとは、計器用変圧器４から延びるケーブル４１、変流器５から延びるケーブル５１、アナログ信号回路６から延びるケーブル６１との接続方式が異なるものとする。例えば、既存の発電コントロールユニット２と新規の発電コントロールユニット２Ａの一方は、ケーブル４１、ケーブル５１及びケーブル６１と外部配線端子により接続され、既存の発電コントロールユニット２と新規の発電コントロールユニット２Ａの他方は、ケーブル４１、ケーブル５１及びケーブル６１とコネクタにより接続されるものとする。
【００２０】
一方、既存の発電コントロールユニット２と新規の発電コントロールユニット２Ａは、ターミナルリレー８から延びるケーブル８１と共通の接続方式を有するものとする。例えば、共通の接続方式はコネクタ接続である。
【００２１】
図２は、置き換えの施工方法のステップ１を示すブロック図である。まず、図２に示すように、既存の発電コントロールユニット２及び既存のディスプレイユニット３を既設の箇所に設置したまま、新規の発電コントロールユニット２Ａと接続方式が異なるケーブル４１、ケーブル５１及びケーブル６１を途中で分断する。
【００２２】
そして、ケーブル４１の分断により計器用変圧器４側に残る他機器側ケーブル４１Ａの分断部分と、既存の発電コントロールユニット２側に残る置換対象側ケーブル４１Ｂの分断部分とに、互いに結合可能なコネクタ９Ａ及び９Ｂを取り付け、コネクタ９Ａ及び９Ｂを結合させる。
【００２３】
同じように、ケーブル５１の分断により変流器５側に残る他機器側ケーブル５１Ａの分断面と、既存の発電コントロールユニット２側に残る置換対象側ケーブル５１Ｂの分断面とに、互いに結合可能なコネクタ９Ａ及び９Ｂを取り付けコネクタ９Ａ及び９Ｂを結合させる。
【００２４】
また、ケーブル６１の分断によりアナログ信号回路６側に残る他機器側ケーブル６１Ａの分断面と、既存の発電コントロールユニット２側に残る置換対象側ケーブル６１Ｂの分断面とに、互いに結合可能なコネクタ９Ａ及び９Ｂを取り付け、コネクタ９Ａ及び９Ｂを結合させる。
【００２５】
このケーブル４１、ケーブル５１及びケーブル６１の分断中、及びコネクタ９Ａ及び９Ｂの取り付け中、及びコネクタ化の確認試験の間は、既存の発電コントロールユニット２及び既存のディスプレイユニット３は稼働できず、発電機１００の運転は停止させておく必要がある。しかし、コネクタ９Ａ及び９Ｂを結合させることによって、再び発電機１００を制御可能となる。尚、ケーブル分断とコネクタ９Ａ及び９Ｂの取り付けを一連の作業とし、一本単位で作業するようにすれば、コネクタ化中に発電機１００を制御する必要が生じた場合であっても、作業中の一本を完了させて復旧させればよく、１０分以内での復旧が可能である。
【００２６】
図３は、置き換えの施工方法のステップ２を示すブロック図である。図３に示すように、一端にコネクタ９Ｂを有し、他端にコネクタ９Ａを有する中継ケーブル４２、中継ケーブル５２及び中継ケーブル６２を用意しておく。また、一端にコネクタ７１Ａを有し、他端にコネクタ３１Ａを有する中継ケーブル３２を用意しておく。そして、中継ケーブル４２、５２、６２及び３２によって、計器用変圧器４と発電コントロールユニット２との間のケーブル長、変流器５と発電コントロールユニット２との間のケーブル長、アナログ信号回路６と発電コントロールユニット２との間のケーブル長、ディスプレイユニット３と制御回路７との間のケーブル長を延長する。
【００２７】
次に、既存の発電コントロールユニット２及び既存のディスプレイユニット３を既設の箇所から取り外し、例えばフィーダ盤１Ｂ等の空きスペースに移設する。このとき、各コネクタ９Ａ及び９Ｂは結合させたまま、またコネクタ３１Ａ及び７１Ａは結合させたままにしておく。即ち、中継ケーブル４２、５２、６２及び３２は、発電機制御盤１Ａに設置されていた発電コントロールユニット２及び既存のディスプレイユニット３をフィーダ盤１Ｂに移動可能なケーブル長を有するようにしておくのがよい。
【００２８】
この移設の最中も、中継ケーブル４２、５２、６２及び３２の接続中の僅かな時間を除いて、コネクタ９Ａ及び９Ｂ並びにコネクタ３１Ａ及び７１Ａは結合しているので、発電機１００の制御は可能である。尚、フィーダ盤１Ｂに空きスペースが無い場合、又はフィーダ盤１Ｂが無い場合、既存の発電コントロールユニット２及び既存のディスプレイユニット３を他の箇所、例えばフロアに直置きしてもよい。
【００２９】
図４は、置き換えの施工方法のステップ３を示すブロック図である。図４に示すように、発電機制御盤１Ａ内の、既存の発電コントロールユニット２及び既存のディスプレイユニット３が設置されていた箇所に、新規の発電コントロールユニット２Ａ及び既存のディスプレイ３Ａを設置する。新規のコントローラ２Ａが既存の発電コントロールユニット２と異なり、例えば保護継電器２Ａａとプログラマブルロジックコントローラ２Ａｂにより成る場合、既存の発電コントロールユニット２の設置位置に正確に合わせて設置する必要はなく、発電機制御盤１Ａを加工して、既存の発電コントロールユニット２の設置領域を含む空きスペースに設置すればよい。
【００３０】
この新規の発電コントロールユニット２Ａ及び新規のディスプレイユニット３Ａの設置中も、既存の発電コントロールユニット２及び新規のディスプレイユニット３は、コネクタ９Ａ及び９Ｂによって発電機制御盤１Ａの電気回路と電気的に接続されているので、発電機１００の制御は可能である。
【００３１】
図５は、置き換えの施工方法のステップ４を示すブロック図である。図５に示すように、新規の発電コントロールユニット２Ａ及び新規のディスプレイユニット３Ａを発電機制御盤１Ａ内の電気回路に接続する。
【００３２】
ここで、新規の発電コントロールユニット２Ａは、コネクタ９Ｂを一端に有する置換対象側ケーブル４１Ｂ、コネクタ９Ｂを一端に有する置換対象側ケーブル５１Ｂ、コネクタ９Ｂを一端に有する置換対象側ケーブル６１Ｂを備えているものとする。換言すると、既存の発電コントロールユニット２と新規の発電コントロールユニット２Ａの他機器との接続方式を共通化するために、ケーブル４１、５１及び６１を分断してコネクタ９Ａ及び９Ｂを取り付けているとも言える。
【００３３】
そこで、新規の発電コントロールユニット２Ａの接続においては、中継ケーブル４２、５２及び６２の各コネクタ９Ａを既存の発電コントロールユニット２から取り外し、新規の発電コントロールユニット２Ａのコネクタ９Ｂと結合させる。また、新規のディスプレイユニット３Ａの接続においては、中継ケーブル３２のコネクタ７１Ａを既存のディスプレイユニット３Ａから取り外し、新規のディスプレイユニット３Ａから延びるケーブル３１のコネクタ３１Ａと結合させる。結合方式が既に共通のケーブル８１においても接続先を変更する。
【００３４】
尚、中継ケーブル３２、４２、５２及び６２については、新規の発電コントロールユニット２Ａと新規のディスプレイユニット３Ａに接続する際に、ケーブル長が短い同種を別途用意しておいてもよい。但し、フィーダ盤１Ｂに届くケーブル長の中継ケーブル３２、４２、５２及び６２は、引き続き確保しておく。
【００３５】
この接続先の変更後は、新規の発電コントロールユニット２Ａ及び新規のディスプレイユニット３Ａの試験及び調整に入り、発電機１００の運転は停止させておく必要がある。但し、フィーダ盤１Ｂに移設した既存の発電コントロールユニット２及び既存のディスプレイユニット３は、そのまま残しておく。
【００３６】
図６は、置き換えの施工方法のステップ５を示すブロック図である。ステップ５においては、新規の発電コントロールユニット２Ａ及び新規のディスプレイユニット３Ａの試験及び調整中に発電機１００の制御が必要な事象が発生したものとする。この事象は、発電機１００が非常用であれば商用電力系統の停電を作業者が察知したとき、また発電機１００が常用であれば負荷２００の消費電力が契約電力を超える虞を作業者が察知したときである。
【００３７】
このとき、図６に示すように、コネクタ９Ａ及びコネクタ９Ｂ並びにコネクタ３１Ａ及び７１Ａを外し、フィーダ盤１Ｂに控えている既存の発電コントロールユニット２及び既存のディスプレイユニット３に接続先を変更する。そして、既存の発電コントロールユニット２及び既存のディスプレイユニット３を稼働させて発電機１００を制御する。発電機１００の制御が必要な事象が終了したとき、接続先を新規の発電コントロールユニット２Ａ及び新規のディスプレイユニット３Ａに戻し、新規の発電コントロールユニット２Ａ及び新規のディスプレイユニット３Ａの試験及び調整を再開する。
【００３８】
接続先の変更作業中は、発電機１００の制御ができない。しかし、接続先の変更作業に要する時間は、例えば３０分等のわずかな時間であり、短時間で発電機１００を制御可能な状態に復旧できる。
【００３９】
そして、新規の発電コントロールユニット２Ａ及び新規のディスプレイユニット３Ａの試験及び調整が完了すると、フィーダ盤１Ｂに仮設しておいた既存の発電コントロール２及び既存のディスプレイユニット３を撤去し、機器の置き換え作業は終了する。
【００４０】
以上のように、この機器リプレイス方法では、既存の発電コントロールユニット２を新規の発電コントロールユニット２Ａに置き換える際、次の第１乃至第４の工程を経るようにした。即ち、第１の工程として、既存の発電コントロールユニット２に繋がるケーブルを分断して、互いに結合可能なコネクタ９Ａ、コネクタ９Ｂ及び中継ケーブル３２、４２、５２により成る接続部品を取り付ける。第２の工程として、接続部品を結合させたまま、既存の発電コントロールユニット２を既設位置からフィーダ盤１Ｂへ移動させる。第３の工程として、空いた既存位置に新規の発電コントロールユニット２Ａを設置する。第４の工程として、接続部品によってケーブルの接続先を新規の発電コントロールユニット２Ａに変更する。
【００４１】
これにより、新規の発電コントロールユニット２Ａと新規のディスプレイユニット３Ａを設置するまで、接続部品の取り付けと、接続先を変更するために既存の発電コントロールユニット２と既存のディスプレイユニット３を回路に繋げるコネクタ９Ａ及び９Ｂの解除を除き、既存の発電コントロールユニット２と既存のディスプレイユニット３は発電機制御盤１Ａに取り付けられているので、発電機１００を制御することが可能となる。また、接続部品の取り付けと解除中においても１０分から２０分以内に発電機１００を制御することが可能な状態に戻すことができる。従って、発電機１００を運転できない状況を大幅に減らすことができる。
【００４２】
また、新規の発電コントロールユニット２Ａと新規のディスプレイユニット３Ａを試験及び調整している間、発電機１００の制御が必要な場合、接続部品によってケーブルの接続先を他所へ移動させた既存の発電コントロールユニット２と既存のディスプレイユニット３に一時的に戻すようにした。
【００４３】
これにより、新規の発電コントロールユニット２Ａと新規のディスプレイユニット３Ａを設置して試験及び調整している最中も、既存の発電コントロールユニット２と既存のディスプレイユニット３に迅速に戻すことができ、試験及び調整段階においても、発電機１００を運転できない状況を大幅に減らすことができる。
【００４４】
ここで、本機器リプレイス方法においては、既存の発電コントロールユニット２と既存のディスプレイユニット３の置き換えを例に説明したが、発電機制御盤１Ａ内に備えられ、新規機器とケーブル接続方式において互換性がない全ての既存機器に対して当該機器リプレイス方法は適用可能である。
【００４５】
この機器リプレイス方法では、接続部品を取り付けることで、既存機器と新規機器とに共通の接続方式を作出し、新規機器を設置する間際まで既存機器を生かすことができるものである。従って、第１の工程のケーブル分断処理は、既存機器と新規機器とが接続方式において互換性が無いケーブルについて行えばよい。
【００４６】
本機器リプレイス方法では、接続部品として、コネクタ９Ａ、コネクタ９Ｂ、コネクタ９Ａ及び９Ｂを端部に有する中継ケーブル３２、４２、５２を用いた例を採り説明したが、着脱自在の接続部品であれば、これに限らない。即ち、ケーブルの延長が不要であれば、例えば他機器側ケーブル４１Ａと置換対象側ケーブル４１Ｂに取り付けたコネクタ９Ａ及び９Ｂを接続部品として直接結合させるようにしてもよい。また、コネクタ９Ａ及び９Ｂに限らず、接続部品として例えば端子台を介在させるようにしてもよい。また、接続部品として、他機器側の一系統と既存及び新規の二系統を結び、分岐部に接続先切替部を設けたスイッチを介在させるようにしてもよい。スイッチについては、既存機器と新規機器の切り替えが迅速化するため、発電機１００を運転できない状況を更に減らすことができる。
【００４７】
尚、本機器リプレイス方法では、一台の発電機１００が需要家施設内に設置されている場合を例に採り説明したが、複数台の発電機１００を制御する発電機制御盤１Ａにおいても、同じ機器リプレイス方法を採用できることはいうまでもない。更に、この複数台の発電機１００を制御できる一台の発電制御コントローラ２を置き換える際においても、同じ機器リプレイス方法を採用できることはいうまでもない。
【００４８】
（その他の実施の形態）
本明細書においては、本発明に係る実施形態を説明したが、この実施形態は例として提示したものであって、発明の範囲を限定することを意図していない。具体的には、これら実施形態は、その他の様々な形態で実施されることが可能であり、発明の範囲を逸脱しない範囲で、種々の省略や置き換え、変更を行うことができる。この実施形態やその変形は、発明の範囲や要旨に含まれると同様に、特許請求の範囲に記載された発明とその均等の範囲に含まれるものである。
【符号の説明】
【００４９】
１  発電制御システム
１Ａ  発電機制御盤
１Ｂ  フィーダ盤
２  発電コントロールユニット
２Ａ  発電コントロールユニット
２Ａａ  保護継電器
２Ａｂ  プログラマブルロジックコントローラ
２１  ケーブル
３  ディスプレイユニット
３Ａ  ディスプレイユニット
３１  ケーブル
３１Ａ  コネクタ
３２  中継ケーブル
４  計器用変圧器
４１  ケーブル
４１Ａ  他機器側ケーブル
４１Ｂ  置換対象側ケーブル
４２  中継ケーブル
５  変流器
５１  ケーブル
５１Ａ  他機器側ケーブル
５１Ｂ  置換対象側ケーブル
５２  中継ケーブル
６  アナログ信号回路
６１  ケーブル
６１Ａ  他機器側ケーブル
６１Ｂ  置換対象側ケーブル
６２  中継ケーブル
７  制御回路
７１  ケーブル
７１Ａ  コネクタ
８  ターミナルリレー
８１  ケーブル
９Ａ  コネクタ
９Ｂ  コネクタ
１００  発電機
２００  負荷
３００  電力線
【図１】
2020114141.tif 000003
【図２】
2020114141.tif 000004
【図３】
2020114141.tif 000005
【図４】
2020114141.tif 000006
【図５】
2020114141.tif 000007
【図６】
2020114141.tif 000008